(57)【要約】【課題】本願発明は、筐体から排出される排気風の排出方向を適切に制御可能な装置構成を提供することを目的とする。【解決手段】  複数のLEDが配置された光源部と、当該光源部の裏面側に設けられたヒートシンクを備え、当該ヒートシンクに対向して冷却ファンが設けられた光照射装置において、前記ヒートシンクには冷却風の下流側に排出流路部が設けられている。また前記排出流路部は、前記ヒートシンクに隣接して開口する第一開口部と、前記筐体の外側に開口する第二開口部とを備え、前記第一開口部と第二開口部を連通する整流流路部を備えており、前記整流流路部は、その流路方向において、前記第一開口部の開口幅よりも長尺な流路長を備え、前記光源部から離間する方向に延設されており、前記第一開口部及び第二開口部は、整流流路部の流路方向に対して、その周方向にそれぞれ形成されている。【選択図】  図２
2019071231.tif 000002
【特許請求の範囲】
【請求項１】
筐体内部に、複数のLEDが配置された光源部と、光源部の裏面側に設けられたヒートシンクを備え、当該ヒートシンクに対向して冷却ファンが設けられた光照射装置において、
前記ヒートシンクは一方向に並設された複数のフィンが隙間を空けて設けられ、前記冷却ファンからの冷却風が前記フィンの隙間を介して流通される構成を備え、
前記ヒートシンクには、冷却風の下流側に排出流路部が設けられており、
前記排出流路部は、前記ヒートシンクに隣接して開口する第一開口部と、前記筐体の外側に開口する第二開口部とを備え、前記第一開口部と第二開口部を連通する整流流路部を備えており、
前記整流流路部は、その流路方向において、前記第一開口部の開口幅よりも長尺な流路長を備え、前記光源部から離間する方向に延設されており、
前記第一開口部及び第二開口部は、整流流路部の流路方向に対して、その周方向にそれぞれ形成されていることを特徴とする光照射装置。
【請求項２】
前記第二開口部は、前記第一開口部よりも開口面積が狭いことを特徴とする請求項１に記載の光照射装置。
【請求項３】
前記第二開口部の近傍には、当該第二開口部から流路を狭める方向に延びる導風部が設けられていることを特徴とする請求項１に記載の光照射装置。
【請求項４】
前記整流流路部は、流路方向に交差する方向に長尺な流路断面を有しており、
前記整流流路部には、その流路断面を長尺方向で区分けする仕切部が設けられていることを特徴とする請求項１に記載の光照射装置。
【請求項５】
前記筐体の内部には、光源部及び冷却ファンが一対となる単位ユニットを複数備えており、前記各単位ユニットは、それぞれが連通しないよう区画壁で区分けされていることを特徴とする請求項１に記載の光照射装置。
【請求項６】
前記筐体の吸気開口部には、前記吸気開口部を覆いつつ、前記吸気開口部から離間するよう筐体外側に突出するフィルタが設けられていることを特徴とする請求項１に記載の光照射装置。
【請求項７】
前記フィルタは、その内側に当接する第一保持部と、その外側に当接する第二保持部とにより挟持されて設置されていることを特徴とする請求項６に記載の光照射装置。
【発明の詳細な説明】
【技術分野】
【０００１】
本発明は、光照射装置に関する。
【背景技術】
【０００２】
従来、紫外線によって対象物を硬化させる光硬化装置が存在する。例えば画像形成装置としては、光硬化対象物となるＵＶインクを吐出するインクヘッドと、紫外線を照射する光照射装置とを備えた装置が存在し、インクヘッドからＵＶインクをワーク（例えば、紙やフィルム等）に吐出し、続いて、吐出されたＵＶインクに紫外線を照射して硬化させることにより、所望の画像を形成（印刷）する。
【０００３】
従来、光硬化装置に用いられる光照射装置には、紫外線を放射する放電ランプが用いられていた。しかしながら、近年、消費エネルギーが低い、寿命が長い等の利点があることから、放電ランプの代わりにＬＥＤ光源を用いる構成が採用されるようになってきた。このようなＬＥＤ光源としては、複数のＬＥＤチップがマトリックス状に配列されたものが採用されている（例えば、特許文献１参照）。
【先行技術文献】
【特許文献】
【０００４】
【特許文献１】特開２０１７−１２６５３４
【特許文献２】特開２０１６−１９８８９２
【発明の概要】
【発明が解決しようとする課題】
【０００５】
特許文献１に記載の装置構成は、ヒートシンクに冷却風を流通させることで熱交換を行い、ヒートシンクによって温められた風（排気風）が装置筐体の外に排出される。しかし排気開口部が光硬化面の近傍に配置されていると、排気風の多くがワークに流れ、ワーク面上の光硬化対象物を温めてしまう、という問題がある。これにより例えば、光硬化対象物の光硬化プロセスに影響を及ぼす可能性や、ワークを変形させる可能性が考えらえる。またワークに排気風が流れることで、ワークがバタついて硬化ムラが発生することも懸念される。
【０００６】
一方で特許文献２に記載の装置構成は、排気風がワークから離間した方向へ排出されるため、排気風がワークに流れにくくなる。しかしながら排気風が吸気開口部の近傍に流れてしまい、温められた気体が吸気されることで装置の冷却効率を悪化させてしまう。
【０００７】
以上に鑑みて、本願発明は、筐体から排出される排気風の排出方向を適切に制御可能な装置構成を提供することを目的とする。
【課題を解決するための手段】
【０００８】
本発明に係る光照射装置は、筐体内部に、複数のLEDが配置された光源部と、当該光源部の裏面側に設けられたヒートシンクを備え、当該ヒートシンクに対向して冷却ファンが設けられた光照射装置において、前記ヒートシンクは一方向に並設された複数の放熱フィンが隙間を空けて設けられ、前記冷却ファンからの冷却風が前記放熱フィンの隙間を介して流通される構成を備え、前記ヒートシンクには冷却風の下流側に排出流路部が設けられている。また前記排出流路部は、前記ヒートシンクに隣接して開口する第一開口部と、前記筐体の外側に開口する第二開口部とを備え、前記第一開口部と第二開口部を連通する整流流路部を備えており、前記整流流路部は、その流路方向において、前記第一開口部の開口幅よりも長尺な流路長を備え、前記光源部から離間する方向に延設されており、前記第一開口部及び第二開口部は、整流流路部の流路方向に対して、その周方向にそれぞれ形成されていることを特徴としている。
【０００９】
上記構成により、ヒートシンクで熱交換が行われた排気風は、排気流路部によって整流され、所望の方向へ排出されることとなり、排気風によってワークが悪影響を受けることを防ぎ、また排気風が再び吸気開口部から取り込まれることを防ぐことができる。
【００１０】
また更に、前記第二開口部は、前記第一開口部よりも開口面積を狭くする構成を備えていてもよい。これにより、排出される排気風の流速を高くすることができ、排気風の排出方向を制御することができる。
【００１１】
また更に、排気流路部の内部には、第二開口部の近傍から流路を狭める方向に突出する導風部を設けてもよい。これにより、排気風の流速を高くすることに加え、排気風の流れをより制御しやすくする。
【００１２】
また更に、整流流路部は、排気風の流路方向に対して交差する方向に長尺な流路断面を有しており、前記整流流路部の内部には仕切部が設けられ、当該仕切部によって前記流路断面が複数領域に区分けされた構成を備えていてもよい。これにより、流路断面が長尺な場合において、排気風を整流する効果が損なわれることを防ぎ、適切な排気を行うことができる。
【００１３】
また更に、前記筐体の内部には、光源部及び冷却ファンが一対となる単位ユニットを複数備えており、前記各単位ユニットは、それぞれが連通しないよう区画壁で区分けされた構成であっても構わない。これにより、単位ユニット毎で冷却機構を組み付けることができ、冷却効率のバラツキを抑えることができる。
【００１４】
また筐体の吸気開口部には、前記吸気開口部を覆いつつ、前記吸気開口部から離間するよう筐体外側に突出するフィルタが設けられていてもよい。また更に、前記フィルタは、その内側に当接する第一保持部と、その外側に当接する第二保持部とにより挟持されて設置されていてもよい。これにより、フィルタを設けることによる吸気開口部からの冷却風の取込み量の低減を抑えることができる。
【発明の効果】
【００１５】
本発明によれば、排出流路部によって排気風の流れが整流され、所望の方向に排気風を排出することが可能となる。これにより排気風の流れを制御して、排気風による周辺部の弊害を防ぐことができる。
【図面の簡単な説明】
【００１６】
【図１】本発明に係る光照射装置の外観図。
【図２】本発明に係る光照射装置の断面概要図。
【図３】排気風の流れについて説明する概要図。
【図４】インクミストの遮蔽効果について説明する概要図。
【図５】本発明に係る光照射装置の他の実施形態を示す概要図。
【図６】本発明に係る光照射装置の内部構造について説明する断面概要図。
【図７】本発明に係る光照射装置の外観図。
【図８】本発明に係る光照射装置の断面概要図。
【図９】フィルタ設置ユニットの機能について説明する概要図。
【図１０】フィルタ設置ユニットの構造について説明する概要図。
【発明を実施するための形態】
【００１７】
図１は、本発明に係る光照射装置の外観図を示したものである。装置筐体は、その一端部側１２に光出射部１１が取り付けられており、他端部側１３には吸気開口部３０が設けられている。また図中では、光出射部１１からＺ軸方向に向けて光照射が行われる。また当該装置筐体において、一端部１２と他端部１３は長手方向（Ｙ方向）に長尺な平面を有しており、装置筐体の短手方向において一端部１２と他端部１３を繋ぐ側壁端部１５と、長手方向において一端部１２と他端部１３を繋ぐ側壁部１４とを備えている。また吸気開口部３０には、外界の粉塵やインクミストを除去するためのフィルタ５３が設けられており、装置筐体の内部に粉塵やインクミストを取り込まない構成とすることが望ましい。
【００１８】
図２は、本発明に係る光照射装置の断面概要図を示す。装置筐体の内部には、当該筐体の一端部側１２に光源部２０が設けられている。光源部２０は基板上に複数のＬＥＤが配置されており、図のＸＹ平面上に複数並設されている。本実施形態では光源部２０はＹ方向（図２の紙面奥行き方向）に長尺な発光面を形成する。また各ＬＥＤの光軸（光射出方向）はＺ方向に向けられており、光出射部１１から装置筐体の外方に光照射が行われる。
光源部２０の裏面側にはヒートシンク２１が取り付けられている。ヒートシンク２１は、平板形状の放熱フィン２２が複数設けられており、各放熱フィン２２は筐体の長手方向（Ｙ方向）に間隔を空けて並設されている。そして各放熱フィン２２の間に冷却風が流通することにより、ヒートシンク２１から熱交換が行われ冷却が促進させる。また装置筐体の内部には、前記光源部２０の制御系や電源系等の電装部２４が設置され、冷却風の流路経路内に設けられている。これにより電装部２４の冷却もあわせて行うことが出来る。
【００１９】
前記筐体の他端部側１３には吸気開口部３０が設けられている。装置筐体内に設けられた冷却ファン２３によって、外界の大気は吸気開口部３０を介して当該装置筐体内に取り込まれ、電装部２４やヒートシンク２１の冷却が促進される。尚、図２に記載の実施形態では冷却ファン２３が吸気開口部３０の近傍に設置されているが、冷却ファン２３の設置箇所はこれに限定されるものではない。またヒートシンク２１で熱交換が行われて温められた風（排気風）は、排気流路部４０を介して、装置筐体の外方へ排出される構成となる。
【００２０】
次に排気流路部４０について説明する。排気流路部４０は、ヒートシンク２１に隣接する第一開口部４１と、前記筐体の外側に開口する第二開口部４２を備えており、また第一開口部４１と第二開口部４２を連通する整流流路部４３を備えている。整流流路部４３は、排気風の流通方向における前記第一開口部４１の開口幅４１Ｄよりも長尺な流路長４３Ｄを有しており、筒状の流路が形成されている。本実施形態では、整流流路部４３はＺ方向に長尺な流路長４３Ｄを備えており、排気風がＺ方向に流通する構成となる。そして排気風は、整流流路部４３を介して第二開口部４２から筐体外へ排出されることとなる。
以上の構成により、第一開口部４１から取り込まれた排気風は、整流流路部４３によって風の流れが整流され、第二開口部４２から排出されることとなる。これによって排気風の排出方向が一方向に揃いやすくなり、排出方向が制御しやすくなる。
【００２１】
本発明に係る整流効果について図３で説明する。一般的に冷却ファン９６を用いた空冷方式の光照射装置９０は、冷却ファン９６がヒートシンク９７に対向するよう配置され、冷却ファン９６からの冷却風をヒートシンク９７に衝突させ、当該ヒートシンク９７の各放熱フィンに風を流通させることで冷却を促進させる。前記放熱フィンが並設される方向（図３のＹ方向）では、放熱フィンによってある程度の整流作用は見込めるが、放熱フィンを流通する距離が短いため十分な整流作用が得られない。また放熱フィンの上下方向（図３（ａ）のＺ方向）では風の流れが制御されておらず、ヒートシンク９７からの排気風は、その風向角９４αが広角に広がりやすい。
一方で図３（ｂ）に示すように、本発明に係る光照射装置１０は、ヒートシンク２１からの排気風が排気流路部４０に流通され、整流流路部４３によって風の整流作用が高められる。これにより、筐体外へ排出される排気風は、その風向角４２αが狭められることとなり、排気方向を制御することができる。
【００２２】
図４では、本発明に係る実施形態によるインクミスト遮蔽効果について説明する。
図４は、本発明に係る光照射装置１０を搭載した画像形成装置の概要図を示す。光照射装置１０はインクヘッド６０の近傍に設置され、紙やフィルム等のワークＷ（記録媒体）が一方向に相対的に走査されている。インクヘッド６０にはインク吐出部６１が設けられており、走査方向ＳＤの上流側ではインク吐出部６１からワークＷへインクが吐出され、下流側で光照射が行われることで、ワークＷに塗布されたインクが硬化される。
【００２３】
インク吐出時には、吐出部６１近傍にインクミストＰが発生することが知られている。これは粒径が０．１μｍ〜１０μｍのガス状の微小粒子であり、大気の流れに乗って周囲に拡散する。特に、ワークＷが相対的に一方向に走査されることで、走査方向ＳＤにインクミストＰが流通しやすいと考えられる。このインクミストＰは、光照射装置１０の吸気開口部３０から筐体内部に侵入すると筐体内部の電装部２４に付着して点灯不良等の不具合を引き起こす可能性があり、問題となる。
【００２４】
本発明に係る光照射装置は、整流された排気風を所望の排出方向へ調節することが可能である。図４に示すとおり、排気流路部４０の第二開口部４２はワークＷ（記録媒体）の走査方向ＳＤに直交する方向（Ｙ方向）に延設されているため、第二開口部４２の延設方向において、ワークＷから浮上するインクミストＰに対して風の障壁を形成する。これによりワークＷから吸気開口部３０までのインクミストＰの移動経路を排気風で遮蔽することが可能となり、吸気開口部３０へのインクミストＰの侵入を抑制することができる。
このように、ワークＷの走査方向ＳＤに対して、交差する方向に長尺な第二開口部４２を配置させることにより、浮上するインクミストＰの移動経路を排気風で遮蔽し、インク吐出部６１から発生するインクミストＰの侵入を抑制することが可能となる。この遮蔽効果は、排気風の整流効果を高めることで顕著となる。
【００２５】
図５は、本発明に係る光照射装置の他の実施形態を示す。この実施形態は排気流路部４０の内部に導風部４４を設けたものであり、具体的には、第二開口部４２に隣接する位置から、排気流路を狭める方向に突出するよう導風部４４が取り付けられている。
これにより第二開口部４２に向かう気流が、導風部４４の周囲を迂回して、第二開口部４２から排出されることとなり、排気風の風向角４２αをより狭める効果が得られる。これにより、排気風の排出方向をより精度よく調節することが可能となる。
この導風部４４の形状は、第二開口部４２に向かう気流を迂回させる形状であれば、どのようなものでも構わない。例えば、板形状や湾曲形状であってもよく、断面形状が三角形状の部品を用いてもよい。また導風部４４の設置角度（第二開口部４２の開口面に対する傾斜角度）を調節することも可能である。この導風部４４が第二開口部４２の長尺方向（Ｙ方向）に延設されることで、高い精度で排気風の気流の流れを制御することが可能となる。尚、図５に示すとおり、本装置の吸気開口部３０は複数の小さい開口が密集した多孔状の開口部であっても構わない。その他、吸気機能を有するものであれば、様々な吸気形状が採択できる。
【００２６】
本発明に係る排気流路部４０は、ヒートシンク２１に隣接して開口する第一開口部４１と、前記筐体の外側に開口する第二開口部４２を備え、第二開口部４２は前記第一開口部４１よりも光源部２０から離間する方向に配置されている。また前記第一開口部４１と第二開口部４２を連通する整流流路部４３を備えている。整流流路部４３は、その流路方向（Ｚ方向）において、第一開口部の開口幅４１Ｄよりも長尺な流路長４３Ｄを有している。この排気流通路４０を通ることで、ヒートシンク２１からの排気風が整流される。また第一開口部４１及び第二開口部４２は、前記整流流路部４３の流路方向（Ｚ方向）に対して流路の進行方向軸の周方向においてそれぞれ離間するよう配置されている。これにより、ヒートシンクから排出された排気風を、ワークＷや吸気開口部３０の近傍に流れないよう排気風を制御することができる。ここで流路の進行方向軸とは、整流流路部４３を流れる流路方向を指すものであり、整流流路部４３の長尺方向としてとらえて構わない。
【００２７】
また排気流路部４０は、気流の整流効果を高めるため、流路方向の向きが変わる角部４７に丸みを持たせることが好ましい。気流の向きが変わる部位では渦流が発生しやすいが、角部４７に丸みを持たせることで、渦流の発生を低減させることができる。
【００２８】
本発明に係る光照射装置１０は、排気流路部４０により排気風の整流効果を高め、排気風の排出方向を制御することができる。そのため、筐体外側に風の流れを制御する部品を取り付けなくても構わない。これにより装置筐体の側壁部１４に別途部品を取り付ける等の煩雑な仕様を避けることもでき、また突起物がなく筐体の側壁部１４は平坦となるため、筐体の外郭形状がシンプルになり、様々な場所（例えば、狭小な設置領域）で当該光照射装置１０を設置することが容易になる。
【００２９】
図６は、図１に示す光照射装置１０の断面概要図（ＺＹ断面図）を示す。図６（ａ）に示すとおり、長尺な光源幅を形成する場合は、複数の光源部２０、ヒートシンク２１、冷却ファン２３を一方向に並設させた構成が好ましい。また図６（ａ）に示す実施形態では、前記筐体の内部に区画壁２５が設けられ、筐体内部の空間が区分けされている。詳述すると、区分けされた空間内において、所定数量分の光源部２０、ヒートシンク２１、冷却ファン２３、吸気開口部３０がユニット化されており、単位ユニット毎に冷却経路が独立して設けられている。そのため、単位ユニット間で冷却風が干渉することが無い。このように区画壁２５によって冷却流路を独立することで、単位ユニット毎に冷却効率を整えることができ、光源幅方向（Ｙ方向）における各光源部２０の温度ムラを抑えることができる。また単位ユニット毎に冷却機構を設けることで、ワークサイズに応じて、単位ユニットの設置個数を可変させて光源幅を調節することが容易になる。
【００３０】
また図６（ｂ）は、整流流路部４３の流路断面４３Ｓ（流路方向Ｚに直交する流路断面）の構造を示しており、整流流路部内に仕切部４５を設けた実施形態が記載されている。尚、図中では整流流路部４３の周面４６に不図示の第一開口部が形成され、放熱フィン２２を通過した排気風が整流流路部４３の内部に流れ込む構成となる。長尺な光源幅を形成する場合、整流流路部４３の流路断面４３Ｓも光源幅方向（Ｙ方向）に長尺にしなければならない。一方、流路断面４３ＳがＹ方向に長尺になるにつれて整流効果が低減されてしまう。特に、流路断面４３Ｓの端部領域と中央領域とで気流の違いが大きくなり、排気風の流れが場所によって異なってしまう。これに対し、流路断面４３Ｓを光源幅方向（Ｙ方向）で区分けする仕切部４５を設けることで、整流効果を悪化させることなく光源部２０を適切に冷却することができる。
【００３１】
次に、吸気開口部について詳細な検討を行う。図７及び図８には、光照射装置１０の吸気開口部３０にフィルタ設置ユニット５０を設けた構成が開示されている。フィルタ設置ユニット５０は、前記吸気開口部３０を覆うように設置され、吸気開口部３０に対して筐体外方に突出する形状（Ｚ方向に突出する形状）を有している。また当該フィルタ設置ユニット５０は、フィルタ５３Ｂの内側を保持する第一保持部５１と、フィルタ５３Ｂの外側を保持する第二保持部５２とにより挟持され、フィルタ５３Ｂの吸気面が配置される。これにより、フィルタ５３Ｂは、吸気開口部３０の全域を覆うよう、当該吸気開口部３０に離間して配置されることとなる。
【００３２】
図９は、上記記載のフィルタ設置ユニットによる作用効果を示す。フィルタ５３は、捕捉対象となる微粒子の大きさによって様々な種類がある。捕捉対象となる微粒子の大きさが小さくなるほど、フィルタ５３の網目を小さくし、フィルタ５３の厚みを大きくする必要がある。例えば、画像形成装置向けの光照射装置においては、インクヘッド６０の吐出部６１からインクミストＰが発生し、光照射装置１０の装置筐体内に侵入することが問題視されている。
【００３３】
インクミストの粒径は０．１μｍ〜１０μｍと非常に微小であり、これらを捕捉するフィルタは、網目が小さく、フィルタの厚みが大きいものを使用しなければならない。またインクミストは付着して堆積されやすい。一方で、フィルタの厚みが大きいものを使用することで、装置筐体内に冷却風を取り込み難くなるという問題もある。これはフィルタによって空気抵抗が大きくなり、冷却風の流通が阻害されるためである。またインクミストの堆積によっても冷却風の流通が阻害されるため、所望の冷却効率を維持しようとすると、フィルタの交換頻度を上げなければならないという問題もある。
【００３４】
しかしながら、本文献に記載のフィルタ設置ユニット５０を用いることで、上記課題を解決することが出来る。図９（ａ）に示すように、通常の装置構成であれば、フィルタ５３Ａによって吸気開口部３０からの冷却風の流通は阻害されてしまう。ここでは説明のため、フィルタ５３による空気抵抗の影響を受ける前の風を実線で描き、フィルタ５３による空気抵抗の影響を受けた後の風を破線で示す。図に示すとおり、吸気開口部３０からの風の取込みがフィルタ５３で阻害されるため、冷却効率が悪くなる。
【００３５】
一方、本文献に記載のフィルタ設置ユニット５０は、その配置面が吸気開口部３０の開口面から離間しており、当該吸気開口部３０の全域が覆われるようフィルタ５３Ｂが配置され、保持されている。これにより、吸気開口部３０の面積に対して、フィルタ５３Ｂの吸気面積を大きく確保することができ、冷却効率の低下を抑えることが出来る。
図９（ｂ）にその概念図を示す。フィルタ５３Ｂを通過した風は、フィルタ５３Ｂによる空気抵抗の影響で単位時間当たりの冷却風の流量が低減される。しかしながら図９（ｂ）に記載の実施形態では、フィルタ５３Ｂの吸気面積が広げられることで冷却風の流入経路が増大される。つまり、フィルタ５３Ｂを通過する風の流量を増やすことができ、吸気開口部３０を流通する冷却風の単位時間当たりの流量低下を抑えることができる。
【００３６】
本発明に係るフィルタ設置ユニット５０の実施形態を図１０に示す。第一保持部５１は、フィルタ内面５３２に対して部分的に当接する第一支持部５１１と、前記第一支持部５１１を保持する保持端部５１４とで構成されている。
【００３７】
図１０に示す第一支持部５１１は鞍形状の外観であり、骨組みされた格子状のフレームで構成されている。このフレームで囲われた空間（隙間）に風が流通するため、フィルタ５３Ｂを保持しつつ冷却風の流通が可能となる。フィルタ５３Ｂと第一支持部５１１は、当該第一支持部５１１のフレームの間隙がフィルタ５３Ｂで全て覆われるよう、各々の形状や大きさが定められる。また第一支持部５１１には、フィルタ５３Ｂと当接する部位に突起部５１３を形成していてもよい。これによりフィルタ５３Ｂの位置ズレをより防止することができる。特に、フィルタ５３Ｂの外縁に沿うよう突起部５１３が形成されることで、フィルタ５３Ｂの位置ズレを効果的に防止できる。尚、第一支持部５１１のフレームは格子状に限定されない。フレームの間隙が大きく確保され、冷却風が流通可能な形態であれば、他の形状も採用しても構わない。
【００３８】
フィルタ５３Ｂは第一支持部５１１を覆うよう設けられている。これにより吸気開口部３０に対して、フィルタ５３Ｂのフィルタ外面５３１（フィルタ吸気面）の面積を大きく確保することが可能となる。
【００３９】
またフィルタ外面５３１には第二保持部５２が当接される。図１０に示すとおり、第二保持部５２は一端５２ａと他端５２ｂが折り返されるようフレームが曲げられた形状を有し、コの字状やＵ字状の外観形状となる。詳述すると、フィルタ外面５３１に沿うよう曲げられた第二支持部５２１と、前記第二支持部５２１の両端部（５２ａ、５２ｂ）に形成された係合突起部５２２とを備えている。第二支持部５２１は骨組みされた格子状のフレームで構成され、このフレームで囲われた空間（間隙）から冷却風を流通させることができる。尚、第二支持部５２１のフレーム形状は格子状に限定されない。フレームの間隙が大きく確保され、冷却風が流通される形態であれば、他の形状も採用することができる。
【００４０】
第二保持部５２の両端部（５２ａ、５２ｂ）には係合突起部５２２が設けられており、第一保持部５１の係合受け部５１２と係合されるよう構成される。この係合突起部５２２は外側（フィルタ外面５３１と当接されない面）に突出されており、これにより第一保持部５１との係合を強固にすることができる。詳述すると、第一保持部５１と第二保持部５２の間にフィルタ５３Ｂが挟持されるため、フィルタ５３Ｂの弾性力によって、第二保持部５２の内側（フィルタ外面５３１と当接する側）から外側（フィルタ外面５３１と当接しない側）に向けて力が働く。この際、第二保持部５２の係合突起部５２２は外側に突出しており、第一保持部５１の内方と第二保持部５２の外方とで係合関係が成立する。
そのため、フィルタの弾性力によって内方から外方に働く力（付勢力）が、第一保持部と第二保持部の係合を強める方向に働き、フィルタ５３ｂの保持をより強固にすることができる。
【００４１】
また第二保持部５２は、一端５２ａと他端５２ｂが折り返されるよう曲げられた形状であり、一端５２ａと他端５２ｂが向かい合う方向（Ｘ方向）に撓ませることが容易となる。そのため、第二保持部５２の両端部（５２ａ、５２ｂ）を掴むことで、外方から内方にフレームを撓ませ、第一保持部５１と第二保持部５２の係合関係を解除できる。このように、簡易的にフィルタ５３Ｂの着脱作業が行える。
以上の構成により、フィルタ５３Ｂは第一保持部５１と第二保持部５２の間に挟持されており、第二保持部５２の係合突起部５２２と第一保持部５１の係合受け部５１２とが係合することで、フィルタ５３Ｂの保持が行える。
【００４２】
本文献に記載のフィルタ設置ユニット５０は、光照射装置１０に複数取り付けられていてもよい。特に、フィルタ設置ユニット５０を複数並設する場合には、各フィルタ設置ユニット５０のフィルタ外面５３１（フィルタ吸気面）が向かいあわないよう設置することが好ましい。これは、フィルタ５３Ｂの吸気面が向かいあう配置関係だと吸気方向が２方向に分岐され、各フィルタ５３Ｂの冷却風の取込み効率が悪化するためである。そのため、フィルタ設置ユニット５０は、フィルタ外面５３１（フィルタ吸気面）が同方向に揃うよう並設させることが望ましい。
例えば図７に示すように、フィルタ設置ユニット５０の並設方向（Ｙ方向）に対して、並設方向軸に対して周方向（Ｙ方向に直交する方向）にフィルタ外面５３１（フィルタ吸気面）が配置されることが望ましい。
【００４３】
またフィルタ設置ユニット５０は、光照射装置１０の第二開口部４２に沿う方向に、複数並設させることが好ましい。これにより、インクミストＰの侵入をより好適に抑えることができる。詳述すると、第二開口部４２からは整流された排気風が排出されており、ワークＷ（記録媒体）から浮上するインクミストＰに対して風の障壁を形成する。そのため第二開口部４２に沿う方向にフィルタ設置ユニット５０が並設されることで、フィルタ外面５３１（フィルタ吸気面）に達するインクミストＰの量を減らすことができ、フィルタ５３Ｂの寿命をより高めることができる。
【００４４】
以上の構成により、本発明に係る光照射装置は、排出流路部を設けることでヒートシンクからの排気風を整流させてから筐体外へ排出される。これにより所望の方向に排気風を排出させることができ、排出方向を調節することが可能となる。
【００４５】
また本発明に係る光照射装置は、吸気開口部に対してフィルタ設置ユニットが設けられており、フィルタが吸気開口部を覆うように当該吸気加工部に離間して配置されることで、フィルタ外面（フィルタ吸気面）を広く確保することができる。これにより厚み大きなフィルタを取り付けた場合であっても、単位時間当たりの冷却風の流量低下を抑えることができる。
【符号の説明】
【００４６】
１０    光照射装置
１１    光出射部
１２    装置筐体の一端部
１３    装置筐体の他端部
１４    装置筐体の側壁部
１５    装置筐体の側壁端部
２０    光源部
２１    ヒートシンク
２２    放熱フィン
２３    冷却ファン
２４    電装部
２５    区画壁
３０    吸気開口部
４０    排気流路部
４１    第一開口部
４１Ｄ  第一開口部の開口幅
４２    第二開口部
４２Ｄ  第二開口部の開口幅
４２α  風向角
４３    整流流路部
４３Ｄ  整流流路部の流路長
４３Ｓ  流路断面
４４    導風部
４５    仕切部
４６    周面
４７    角部
５０    フィルタ設置ユニット
５１    第一保持部
５１１  第一支持部
５１２  係合受け部
５１３  突起部
５１４  保持端部
５２    第二保持部
５２ａ  一端
５２ｂ  他端
５２１  第二支持部
５２２  係合突起部
５３    フィルタ
５３Ａ  フィルタ
５３Ｂ  フィルタ
５３１  フィルタ外面（フィルタ吸気面）
５３２  フィルタ内面
６０    インクヘッド
６１    インク吐出部  
Ｐ      インクミスト
Ｗ      ワーク
ＳＤ    走査方向
９０    光照射装置
９１    光源部
９２    光出射部
９３    吸気開口部
９４    排気開口部
９４α  風向角
９５    フィルタ
９６    冷却ファン
９７    ヒートシンク
【図１】
2019071231.tif 000003
【図２】
2019071231.tif 000004
【図３】
2019071231.tif 000005
【図４】
2019071231.tif 000006
【図５】
2019071231.tif 000007
【図６】
2019071231.tif 000008
【図７】
2019071231.tif 000009
【図８】
2019071231.tif 000010
【図９】
2019071231.tif 000011
【図１０】
2019071231.tif 000012